(57)【要約】【課題】  内容物の無制限な閲覧を防止するとともに、内容物の秘密が保持されたか否かを確認することができる台紙付きホルダを提供する。【解決手段】  略長方形の台紙１と、台紙１との間にシート状物体２を出し入れ可能な開口部３を形成した状態で台紙１に端縁部４ａが連結されたフィルムシート４とを備えた台紙付きホルダ１０であって、フィルムシート４は、開口部３において、フィルムシート４の端部に設けられ、台紙１の他方の面１ｃに折り返して開口部３を封止する折り返し代４ｂと、折り返し代４ｂを台紙１の他方の面１ｃに接着手段５で接着した状態でフィルムシート４を裂開可能な裂開部６とを有している。【選択図】      図１
0003105432.tif 000002
【実用新案登録請求の範囲】
【請求項１】
略長方形の台紙と、
この台紙の一方の面に設けられ、台紙との間にシート状物体を出し入れ可能な開口部を形成した状態で台紙に端縁部が連結されたフィルムシートとを備えた台紙付きホルダであって、
上記フィルムシートは、開口部において、フィルムシートの端部に設けられ、台紙の他方の面に折り返して開口部を封止する折り返し代と、この折り返し代を台紙の他方の面に接着手段により接着した状態でフィルムシートを裂開可能な裂開部とを有していることを特徴とする台紙付きホルダ。
【請求項２】
上記接着手段は、フィルムシートの折り返し代に設けられた折り返し代側接着部を台紙の他方の面に貼着することにより折り返し代を台紙の他方の面に接着するものであり、この折り返し代側接着部には、折り返し代側接着部の接着剤を覆って保護する剥離可能な折り返し代側保護シートが設けられていることを特徴とする請求項１記載の台紙付きホルダ。
【請求項３】
上記接着手段は、台紙の他方の面に設けられた台紙側接着部にフィルムシートの折り返し代を貼着することにより折り返し代を台紙の他方の面に接着するものであり、この台紙側接着部には、台紙側接着部の接着剤を覆って保護する剥離可能な台紙側保護シートが設けられていることを特徴とする請求項１記載の台紙付きホルダ。
【請求項４】
上記裂開部は、ミシン目で構成されていることを特徴とする請求項２または請求項３に記載の台紙付きホルダ。
【請求項５】
上記台紙は、端部にバインダー用綴じ孔を有し、バインダーに収納可能に構成されていることを特徴とする請求項１ないし請求項４のいずれかに記載の台紙付きホルダ。
【請求項６】
上記フィルムシートは、透明な材料からなり、シート状物体の表面の表示が認識可能に構成されていることを特徴とする請求項１ないし請求項５のいずれかに記載の台紙付きホルダ。
【考案の詳細な説明】
【技術分野】
【０００１】
本考案は、シート状物体を出し入れ可能な台紙付きホルダに関するものである。
【背景技術】
【０００２】
一般に、シート状物体を出し入れ可能なホルダとして、略長方形の台紙と、開口部を形成した状態で台紙の一方の面を覆うように連結されたシート部材とを備えた台紙付きホルダが知られている。
【０００３】
最近ではこのような台紙付きホルダとして、シート部材を透明の材料で構成することにより、開封することなく内容物を確認することができるようにしたものが種々開発されている。
【０００４】
例えば、特許文献１には、片面を透明にするとともに反対面を紙等で構成することにより開封することなく内容物を表示できるようにして、ファイルの袋状のリーフに保管した資料の捜索を簡単にし、異なるページにある資料同士の比較対照を容易に行えるようにした片面透明な多段式ファイルの技術が開示されている。
【特許文献１】実開昭５７−１１１５７７号公報
【考案の開示】
【考案が解決しようとする課題】
【０００５】
しかしながら、上述の特許文献１に開示された多段式ファイルでは、袋の封止手段と封止された袋の開封手段とが備えられていないので、社内便などで袋を送付する場合などに、内容物の無制限な閲覧を防止することができなかった。また、内容物の秘密が保持されたか否かを確認することができないという不具合があった。
【０００６】
本考案は上記不具合に鑑みてなされたものであり、内容物の無制限な閲覧を防止するとともに、内容物の秘密が保持されたか否かを確認することができる台紙付きホルダを提供することを課題としている。
【課題を解決するための手段】
【０００７】
上記課題を解決するための本考案は、略長方形の台紙と、この台紙の一方の面に設けられ、台紙との間にシート状物体を出し入れ可能な開口部を形成した状態で台紙に端縁部が連結されたフィルムシートとを備えた台紙付きホルダであって、上記フィルムシートは、開口部において、フィルムシートの端部に設けられ、台紙の他方の面に折り返して開口部を封止する折り返し代と、この折り返し代を台紙の他方の面に接着手段により接着した状態でフィルムシートを裂開可能な裂開部とを有していることを特徴とする台紙付きホルダである。
【０００８】
本考案によれば、書類などのシート状物体をフィルムシートと台紙との間に収納することができる。また、フィルムシートの端部に設けられた折り返し代を台紙の他方の面に折り返し、接着手段で接着することにより開口部を封止することができるので、内容物の無制限な閲覧を防止することができる。
【０００９】
また、内容物を取り出すためには、裂開部を破断しなければならないので、裂開部の破断の有無を確認することにより、内容物の秘密が保持されたか否かを確認することができる。
【００１０】
ここで、上記接着手段は、フィルムシートの折り返し代に設けられた折り返し代側接着部を台紙の他方の面に貼着することにより折り返し代を台紙の他方の面に接着するものであり、この折り返し代側接着部には、折り返し代側接着部の接着剤を覆って保護する剥離可能な折り返し代側保護シートが設けられていることが好ましい。
【００１１】
このようにすれば、折り返し代側保護シートを剥離させるとともに、折り返し代に設けられた折り返し代側接着部を台紙の他方の面に貼着することにより折り返し代を台紙の他方の面に接着することができるので、わざわざ別に接着剤や接着テープを用意する必要がない結果、折り返し代の台紙への接着を敏速に行うことができる。
【００１２】
また、上記接着手段は、台紙の他方の面に設けられた台紙側接着部にフィルムシートの折り返し代を貼着することにより折り返し代を台紙の他方の面に接着するものであり、この台紙側接着部には、台紙側接着部の接着剤を覆って保護する剥離可能な台紙側保護シートが設けられているものであってもよい。
【００１３】
このようにすれば、台紙側保護シートを剥離させるとともに、台紙の他方の面に設けられた台紙側接着部にフィルムシートの折り返し代を貼着することにより折り返し代を台紙の他方の面に接着することができるので、同様に、折り返し代の台紙への接着を敏速に行うことができる。
【００１４】
また、上記裂開部は、ミシン目で構成されていることが好ましい。
【００１５】
このようにすれば、破断誘導の容易なミシン目で、裂開部が構成されているので、裂開部の破断を精度良く行うことができる。
【００１６】
また、上記台紙は、端部にバインダー用綴じ孔を有し、バインダーに収納可能に構成されていることが好ましい。
【００１７】
このようにすれば、台紙付きホルダが、台紙の端部に設けられたバインダー用綴じ孔を介してバインダーに収納可能に構成されているので、書類などのシート状物体をこの台紙付きホルダに収納して容易に整然と整理することができる。
【００１８】
また、上記フィルムシートは、透明な材料からなり、シート状物体の表面の表示が認識可能に構成されていることが好ましい。
【００１９】
このようにすれば、シート状物体の表面の表示を透明なフィルムシートを透して認識することができるので、内容物の外観を外から容易に確認することができる。
【考案の効果】
【００２０】
以上説明したように、本考案によれば、内容物の無制限な閲覧を防止するとともに、内容物の秘密が保持されたか否かを確認することができる台紙付きホルダを実現することができるという顕著な効果を奏する。
【考案を実施するための最良の形態】
【００２１】
以下、添付図面を参照しながら本考案の好ましい実施の一形態について詳述する。図１は、本考案の第１の実施の形態に係る台紙付きホルダ１０の構成を示す正面図であり、図２は、本考案の第１の実施の形態に係る台紙付きホルダ１０の構成を示す断面図である。また、図３は、本考案の第１の実施の形態に係る台紙付きホルダ１０の構成を示す背面図である。
【００２２】
図１〜図３に示すように、図示の本考案の第１の実施の形態に係る台紙付きホルダ１０は、略長方形の台紙１と、台紙１との間にシート状物体２を出し入れ可能な開口部３（図２）を形成した状態で台紙１に連結されたフィルムシート４とを備えている。
【００２３】
上記台紙１は、本実施形態では、いわゆるＡ４サイズの略長方形に形成された上質紙やタック紙などの丈夫なシート状材料で構成されている。この台紙１は、端部にバインダー用綴じ孔１ａを有しており、このバインダー用綴じ孔１ａを図略のバインダーのリング金具などに係止することにより、台紙付きホルダ１０を散逸させることなく整然とバインダーに収納することができるように構成されている。
【００２４】
上記シート状物体２は、本実施形態では、秘密保持の必要がある書類として見積書を想定している。見積書の表紙に記載されたタイトルは透明なフィルムシート４を透して確認可能であるが、見積金額や見積条件、その他の詳細は、見積書の表紙に隠れて外からでは見えないようになっている。そして、一旦台紙付きホルダ１０の開口部３が封止された後は、裂開部６を破断して開封しない限り秘密が保たれるようになっている。
【００２５】
上記開口部３（図２）は、台紙１のいずれの方向に設けることも可能であるが、本実施形態では、台紙１を縦長に配置した状態で、横方向すなわち、長辺１ｄ側に開口するように形成されている。
【００２６】
上記フィルムシート４は、台紙１の一方の面１ｂに設けられ、その３方向の端縁部４ａが台紙１に接着剤等で連結されることにより、台紙１とフィルムシート４との間にシート状物体２を出し入れ可能な開口部３が形成されている。このフィルムシート４は、本実施形態では、透明なポリエチレンやポリプロピレンなどの合成樹脂材料が採用されており、シート状物体２の表面の表示が外から認識できるように構成されている。
【００２７】
また、このフィルムシート４は、開口部３を封止する折り返し代４ｂをフィルムシート４の端部に有しており、この折り返し代４ｂは、開口部３において、台紙１の他方の面１ｃに折り返された後、接着手段５で台紙１の他方の面１ｃに接着することができるようになっている。
【００２８】
さらに、フィルムシート４は、折り返し代４ｂを台紙１の他方の面１ｃに接着手段５で接着した状態で、フィルムシート４を裂開可能な裂開部６を有している。
【００２９】
上記接着手段５は、本実施形態では、フィルムシート４の折り返し代４ｂに設けられている。すなわち、この接着手段５は、接着剤が塗布された折り返し代側接着部５ａを台紙１の他方の面１ｃに貼着することにより、折り返し代４ｂが台紙１の他方の面１ｃに接着されるように構成されている。そして、この折り返し代側接着部５ａには、剥離可能な折り返し代側保護シート５ｂが設けられ、折り返し代側接着部５ａの接着剤を覆って保護している。
【００３０】
上記裂開部６は、折り返し代４ｂを台紙１の他方の面１ｃに接着した状態で、フィルムシート４を台紙１の長辺１ｄに沿って破断することができるようにするものである。この裂開部６は、本実施形態ではミシン目で構成され、フィルムシート４の開口部３に臨む部分に台紙１の長辺１ｄに沿って設けられている。
【００３１】
次に図４を参照して、本考案の第１の実施の形態に係る台紙付きホルダ１０の作用について説明する。図４は、本考案の第１の実施の形態に係る台紙付きホルダ１０の作用を示す断面図であり、図４（ａ）は、本考案の第１の実施の形態に係る台紙付きホルダ１０の開口部３が開放されている状態を示している。この状態では、開口部３から台紙１とフィルムシート４との間にシート状物体２を出し入れすることができるようになっている。
【００３２】
次に、図４（ｂ）は、台紙付きホルダ１０を送付するにあたって、折り返し代側保護シート５ｂを剥離した後の状態を示している。この状態では、折り返し代側接着部５ａの接着剤が露出しており、折り返し代４ｂを台紙１に接着することができるようになっている。
【００３３】
また、図４（ｃ）は、フィルムシート４の端部に設けられた折り返し代４ｂが台紙１の他方の面１ｃに折り返されて開口部３が封止された状態を示している。この状態では、接着手段５の折り返し代側接着部５ａが台紙１の他方の面１ｃに貼着されることにより折り返し代４ｂが台紙１の他方の面１ｃに接着され、開口部が封止されている。
【００３４】
さらに、図４（ｄ）は、台紙付きホルダ１０のフィルムシート４の裂開部６を破断した後の状態を示している。この状態では、折り返し代４ｂは、台紙１の他方の面１ｃに接着されたままになっており、シート状物体２は、台紙１とフィルムシート４との間から裂開部６の破断箇所６ａを通って外に取り出すことができるようになっている。
【００３５】
以上説明したように、本考案の第１の実施の形態に係る台紙付きホルダ１０によれば、書類などのシート状物体２をフィルムシート４と台紙１との間に収納することができる。また、フィルムシート４の端部に設けられた折り返し代４ｂを台紙１の他方の面１ｃに折り返し、接着手段５で接着することにより開口部３を封止することができるので、内容物の無制限な閲覧を防止することができる。
【００３６】
そして、内容物を取り出すためには、裂開部６を破断しなければならないので、裂開部６の破断の有無を確認することにより、内容物の秘密が保持されたか否かを確認することができる。
【００３７】
また、第１の実施の形態に係る台紙付きホルダ１０によれば、折り返し代側保護シート５ｂを剥離させるとともに、折り返し代側接着部５ａを台紙１の他方の面１ｃに貼着することにより、折り返し代４ｂを台紙１の他方の面１ｃに接着することができる。その結果、わざわざ別に接着剤や接着テープを用意する必要がなく、折り返し代４ｂの台紙１への接着を敏速に行うことができる。
【００３８】
また、破断誘導の容易なミシン目で、裂開部６が構成されているので、裂開部６の破断を精度良く行うことができる。
【００３９】
さらに、台紙１の端部に設けられたバインダー用綴じ孔１ａを介して台紙付きホルダ１０がバインダーに収納可能に構成されているので、書類などのシート状物体２をこの台紙付きホルダ１０に収納して容易に整理することができる。
【００４０】
また、第１の実施の形態に係る台紙付きホルダ１０によれば、シート状物体２の表面の表示を透明なフィルムシート４を透して認識することができるので、内容物の外観を外から容易に確認することができる。
【００４１】
次に図５〜図７を参照して、本考案の第２の実施の形態に係る台紙付きホルダ２０について説明する。図５は、本考案の第２の実施の形態に係る台紙付きホルダ２０の構成を示す正面図であり、図６は、本考案の第２の実施の形態に係る台紙付きホルダ２０の構成を示す断面図である。また、図７は、本考案の第２の実施の形態に係る台紙付きホルダ２０の構成を示す背面図である。なお以下の説明では、本考案の第１の実施の形態に係る台紙付きホルダ１０と同様の部材には同一の符号を付し、重複する説明を省略するものとする。
【００４２】
図５〜図７に示すように、本考案の第２の実施の形態に係る台紙付きホルダ２０においては、フィルムシート４の折り返し代４ｂは、接着手段２５で台紙１の他方の面１ｃに接着されるようになっている。
【００４３】
上記接着手段２５は、台紙１の他方の面１ｃに設けられ、接着剤が塗布された台紙側接着部２５ａに折り返し代４ｂを貼着することにより、折り返し代４ｂを台紙１の他方の面１ｃに接着するものである。この台紙側接着部２５ａには、台紙側接着部２５ａを覆って保護する剥離可能な台紙側保護シート２５ｂが設けられている。
【００４４】
次に、図８を参照して、本考案の第２の実施の形態に係る台紙付きホルダ２０の作用について説明する。図８は、本考案の第２の実施の形態に係る台紙付きホルダ２０の作用を示す断面図であり、図８（ａ）は、本考案の第２の実施の形態に係る台紙付きホルダ２０の開口部３が開放されている状態を示している。
【００４５】
また、図８（ｂ）は、台紙付きホルダ２０を送付するにあたって、台紙側保護シート２５ｂを剥離した後の状態を示している。この状態では、台紙側接着部２５ａの接着剤が露出してフィルムシート４の折り返し代４ｂを台紙側接着部２５ａに接着することができるようになっている。
【００４６】
さらに、図８（ｃ）は、フィルムシート４の端部に設けられた折り返し代４ｂが台紙１の他方の面１ｃに折り返されて開口部３が封止された状態を示している。この状態では、接着手段５の台紙側接着部２５ａにフィルムシート４の折り返し代４ｂが貼着されることにより、折り返し代４ｂが台紙１の他方の面１ｃに接着され、開口部３が封止されている。
【００４７】
そして、図８（ｄ）は、台紙付きホルダ２０のフィルムシート４の裂開部６を破断した後の状態を示している。この状態では、折り返し代４ｂは、台紙１の他方の面１ｃに接着されたままになっており、シート状物体２は、台紙１とフィルムシート４との間から裂開部６の破断箇所６ａを通って外に取り出すことができるようになっている。
【００４８】
以上説明したように、本考案の第２の実施の形態に係る台紙付きホルダ２０によれば、台紙側接着部２５ａの接着剤を覆って保護する台紙側保護シート２５ｂを剥離させるとともに、台紙１の他方の面１ｃに設けられた台紙側接着部２５ａにフィルムシート４の折り返し代４ｂを貼着することにより折り返し代４ｂを台紙１の他方の面１ｃに接着することができる。その結果、第１の実施の形態に係る台紙付きホルダ１０と同様に、わざわざ別に接着剤や接着テープを用意する必要がなく、折り返し代４ｂの台紙１への接着を敏速に行うことができる。
【００４９】
上述した実施の形態は本考案の好ましい具体例を例示したものに過ぎず、本考案は上述した実施の形態に限定されない。
【００５０】
例えば、台紙１のサイズは、Ａ４サイズに限らない。Ｂ４、Ｂ５など種々のサイズが採用可能である。また、材質も上質紙やタック紙に限らず、その他の厚紙や樹脂製のシートなど、種々の材質が採用可能である。
【００５１】
また、台紙１のバインダー用綴じ孔１ａも必ずしも必須ではない。バインダーに収納する必要がない場合や、バインダーのリング金具に係止させる必要がない場合は、バインダー用綴じ孔１ａを省略することが可能である。
【００５２】
シート状物体２も、見積書に限らず、通信教育の答案用紙や、病院のカルテなどであってもよい。また必ずしも秘密保持の必要がある書類に限らず、一般の書類やカタログ資料などにも適用可能である。
【００５３】
開口部３は、必ずしも長辺１ｄ側に開口するように形成される必要はなく、台紙１の上下左右いずれの方向に設けることも可能である。
【００５４】
フィルムシート４は、ポリエチレンやポリプロピレンなどの合成樹脂材料に限らず、薄いシート状のものであれば、種々の材質が採用可能である。また、フィルムシート４は、シート状物体２の表面の表示が外から認識できるような透明な材料である必要はなく、内容物が外から見えないように着色されたものであっても採用可能である。
【００５５】
裂開部６は、ミシン目に限定されない。台紙１の長辺１ｄに沿った破断用テープを引くことでフィルムシート４を破断できるようにしたものでもよいなど、種々の設計変更が可能である。
【００５６】
その他、本考案の実用新案請求の範囲内で種々の設計変更が可能であることはいうまでもない。
【図面の簡単な説明】
【００５７】
【図１】本考案の第１の実施の形態に係る台紙付きホルダの構成を示す正面図である。
【図２】本考案の第１の実施の形態に係る台紙付きホルダの構成を示す断面図である。
【図３】本考案の第１の実施の形態に係る台紙付きホルダの構成を示す背面図である。
【図４】本考案の第１の実施の形態に係る台紙付きホルダの作用を示す断面図であり、（ａ）は、台紙付きホルダの開口部３が開放されている状態を、（ｂ）は、台紙付きホルダを送付するにあたって、折り返し代側保護シートを剥離した後の状態を、（ｃ）は、台紙付きホルダの折り返し代が台紙の他方の面に折り返されて開口部が封止された状態を、（ｄ）は、台紙付きホルダのフィルムシートの裂開部を破断した後の状態を、それぞれ示している。
【図５】本考案の第２の実施の形態に係る台紙付きホルダの構成を示す正面図である。
【図６】本考案の第２の実施の形態に係る台紙付きホルダの構成を示す断面図である。
【図７】本考案の第２の実施の形態に係る台紙付きホルダの構成を示す背面図である。
【図８】本考案の第２の実施の形態に係る台紙付きホルダの作用を示す断面図であり、（ａ）は、台紙付きホルダの開口部が開放されている状態を、（ｂ）は、台紙付きホルダを送付するにあたって、台紙側保護シートを剥離した後の状態を、（ｃ）は、台紙付きホルダの折り返し代が台紙の他方の面に折り返されて開口部が封止された状態を、（ｄ）は、台紙付きホルダのフィルムシートの裂開部を破断した後の状態を、それぞれ示している。
【符号の説明】
【００５８】
１      台紙
１ａ    バインダー用綴じ孔
１ｂ    一方の面
１ｃ    他方の面
２      シート状物体
３      開口部
４      フィルムシート
４ａ    端縁部
４ｂ    折り返し代
５、２５        接着手段
５ａ    折り返し代側接着部
５ｂ    折り返し代側保護シート
６      裂開部
１０、２０      台紙付きホルダ
２５ａ  台紙側接着部
２５ｂ  台紙側保護シート
【図１】
0003105432.tif 000003
【図２】
0003105432.tif 000004
【図３】
0003105432.tif 000005
【図４】
0003105432.tif 000006
【図５】
0003105432.tif 000007
【図６】
0003105432.tif 000008
【図７】
0003105432.tif 000009
【図８】
0003105432.tif 000010